(57)【特許請求の範囲】
【請求項１】
石棺カロートの上方に、少なくとも芝台と、中台と、竿石とを積み重ね、前記中台の前方に水鉢を備えた墓であって、
前記石棺カロートは、上面に開口部を有する納骨部を備え、
前記芝台は、下面に形成した前記石棺カロートの上面の周囲を覆う第１凹部と、前記第１凹部の一部を貫通して前記中台の前方に位置する前記納骨部と連通する開口部と、前記開口部の周囲から上方に突出する凸部と、を備え、
前記凸部の周囲を覆う第２凹部を有し、前記開口部を塞いで前記芝台の上面に載置して前記水鉢を配置する水鉢台を備えており、
前記芝台は、前記水鉢台を載置する部分は上面が平坦に形成され、前記水鉢台と前記中台との周囲から上面が外向きに下り傾斜の傾斜面に形成されており、
前記石棺カロートは、一塊の石材を加工することで前記納骨部が形成されており、
前記芝台は、一塊の石材を加工することで前記第１凹部と前記開口部と前記凸部とが形成されている、
ことを特徴とする防水構造を備えた墓。
【発明の詳細な説明】
【技術分野】
【０００１】
本発明は、納骨室に雨水などが浸入するのを防止する防水構造を備えた墓に関する。
【背景技術】
【０００２】
従来、墓は複数の石材を積み上げて形成されたものが多い。この種の墓として、図７（Ａ）、（Ｂ）に示すように、中台１０１、上台１０２、竿石１０３、と複数の石材を積み重ねたものがある。この墓１００の場合、中台１０１の前方に水鉢台１０４が設けられ、その上部に水鉢１０５と花立１０６とが設けられている。このような墓１００は、通常、中台１０１の前方に設けられた水鉢１０５を移動させることで、中台１０１の内部に設けられた納骨室１０７を開放することができる。
【０００３】
そして、この墓１００の場合、納骨室１０７に骨壺を納めた後、水鉢１０５を元の位置に戻して納骨室１０７の前部を閉じる。その後、水鉢１０５と中台１０１との間から雨水などが納骨室１０７の内部に浸入しないように、水鉢１０５と中台１０１との接合部分を目地材によってシールしている。
【０００４】
しかし、目地材は経年変化や地震などによって割れなどを生じる。そのため、通常、長い期間放置される目地材の部分から、納骨室１０７に雨水などが浸入する。これにより、納骨室１０７は、湿気の高い状態となってカビなど発生する。また、雨水が溜った状態になることもある。
【０００５】
そこで、この種の先行技術として、根太石の表面における骨壺納骨穴の周囲に、上向きに突出した立上部を形成した墓石がある（例えば、特許文献１参照）。この墓石では、立上部によって、雨水が芝台の上面から納骨室に入らないようにしている。
【０００６】
また、他の先行技術として、納骨室の上面開口を２枚の石材で蓋をした墓における納骨室の防水構造がある（例えば、特許文献２参照）。この防水構造では、納骨室の上面開口を囲む突条を上方に突出させ、２枚の石材の一方には突条よりも幅広い突出部を備えさせ、他方には突出部を収納する凹所を備えさせ、突出部の接合面に沿う幅方向に流水溝を備えさせている。
【先行技術文献】
【特許文献】
【０００７】
【特許文献１】特開平７−４８９５８号公報
【特許文献２】特許第３７１５４５２号公報
【発明の概要】
【発明が解決しようとする課題】
【０００８】
しかし、上記した特許文献１では、骨壺納骨穴の周囲から突出する立上部の高さの範囲で雨水などが納骨穴に浸入するのを防いでいる。このため、大量の雨水が納骨穴の周囲に流れ込んだ場合、立上部を越えて納骨穴に浸入する。
【０００９】
また、上記した特許文献２では、台石の上面に位置する納骨室の開口部を角石と拝石とで塞ぐ構造であるため、地震や経年使用によって角石と拝石との隙間から雨水などが浸入するおそれがある。しかも、拝石に設ける突出部に、台石に設けた突出部を収納する凹所と、拝石との接合面に沿う流水溝とを設ける必要があり、加工に時間と労力を要する。
【００１０】
そこで、本発明は、納骨室の内部への雨水などの浸入をより適切に防止できる防水構造を備えた墓を提供することを目的とする。
【課題を解決するための手段】
【００１１】
上記目的を達成するために、本発明は、石棺カロートの上方に、少なくとも芝台と、中台と、竿石とを積み重ね、前記中台の前方に水鉢を備えた墓であって、前記石棺カロートは、上面に開口部を有する納骨部を備え、前記芝台は、下面に形成した前記石棺カロートの上面の周囲を覆う第１凹部と、前記第１凹部の一部を貫通して前記中台の前方に位置する前記納骨部と連通する開口部と、前記開口部の周囲から上方に突出する凸部と、を備え、前記凸部の周囲を覆う第２凹部を有し、前記開口部を塞いで前記芝台の上面に載置して前記水鉢を配置する水鉢台を備えている。
【００１２】
この構成により、石棺カロートの上面を芝台で覆うことで、芝台の下面の第１凹部が石棺カロートの上面を周囲から覆うようになる。これにより、芝台の第１凹部が石棺カロートの上面に嵌り込むように塞いだ状態となり、石棺カロート上面の周囲から水が浸入することを防ぐことができる。しかも、芝台の納骨部と連通する開口部も、周囲から上方に突出する凸部が水鉢台の第２凹部によって覆われている。これにより、水鉢台の第２凹部が開口部に嵌り込むように塞いだ状態となり、開口部から水が浸入することを防ぐことができる。従って、このような２重の防水構造を備えた墓によれば、大雨などによっても石棺カロートの納骨部へ水が浸入することを適切に防止できる。その上、石棺カロートの上面全周が芝台の第１凹部に入り込んだ状態であるため、地震時にも石棺カロートの上面周囲は芝台の第１凹部に嵌まった状態が保たれて水の浸入を防ぐことができる。
【００１３】
また、前記芝台は、前記水鉢台を載置する部分が平坦に形成され、前記水鉢台と前記中台との周囲から外向きに下り傾斜の傾斜面に形成されていてもよい。このように構成すれば、水鉢台の周囲から流れ落ちる水と、中台の周囲から流れ落ちる水とを、積極的に芝台の外周部分へ流れ落とすことができる。これにより、芝台の上面における水鉢台の部分に向けて水が流れないようにでき、雨水などの排水性を良くすることができる。
【００１４】
また、前記石棺カロートは、一塊の石材を加工することで前記納骨部を形成しており、前記芝台は、一塊の石材を加工することで形成されていてもよい。このように構成すれば、石棺カロートには接続部が無いため、地震や経年使用による納骨部への水の浸入を防止できる。しかも、石棺カロートの上面を塞ぐ芝台も接続部がないため、地震や経年使用による石棺カロートの納骨部への水の浸入を防止できる。
【発明の効果】
【００１５】
本発明によれば、墓に、石棺カロートの納骨部への雨水などの浸入をより適切に防止できる防水構造を備えさせることが可能となる。
【図面の簡単な説明】
【００１６】
【図１】図１は、本発明の一実施形態に係る墓を建てた状態を示す斜視図である。
【図２】図２は、図１に示す墓の石棺カロートと芝台を示す斜視図である。
【図３】図３は、図２に示す石棺カロートと芝台に加えて水鉢台を示す斜視図である。
【図４】図４は、図３に示す芝台の上部に中台と上台と竿石とを積み重ねた状態の墓を示す斜視図である。
【図５】図５は、図４に示す墓の側面図である。
【図６】図６は、図５に示す石棺カロートと芝台と水鉢台との重なり部分の拡大断面図である。
【図７】図７は、従来の墓の構造を示す一例の図面であり、（Ａ）は墓を建てた状態の斜視図、（Ｂ）は石棺カロートを開放した状態の斜視図である。
【発明を実施するための形態】
【００１７】
以下、本発明の実施形態を図面に基づいて説明する。以下の実施形態では、外柵などを含まない墓１の基本的な構成のみで説明する。この明細書及び特許請求の範囲の書類中における前後左右方向の概念は、図１に示す墓１の手前側を「前」、奥側を「後」とした前後左右方向の概念と一致するものとする。
【００１８】
図１に示すように、この実施形態の墓１は、石棺カロート１０の上方に、芝台２０と、中台３０と、上台３１と、竿石３２とを積み重ねた墓１を例にしている。中台３０の前方には、水鉢４０が備えられている。水鉢４０は、芝台２０の上面に配置された水鉢台４１の上部に配置されている。水鉢４０の左右両側には、花立５０が備えられている。中台３０の前部であって、水鉢４０の後方には、香炉５１が備えられている。上記石棺カロート１０は、外柵６０の内部に配置され、周囲に玉砂利６１などが敷かれている。
【００１９】
図２は、上記墓１の石棺カロート１０と芝台２０を示す斜視図である。この図では、芝台２０を開放した状態を示している。図示するように、上記石棺カロート１０は、矩形状に形成され、上面１１に開口部１２を有する納骨部１３が備えられている。この実施形態の石棺カロート１０は、一塊の石材を加工することで納骨部１３ が形成されている。この石棺カロート１０の上面には、上記芝台２０が積み重ねられる。この芝台２０も、一塊の石材を加工することで形成されている。
【００２０】
芝台２０は、下面に、上記石棺カロート１０の上面の周囲を覆う第１凹部２１が形成されている。この第１凹部２１は、石棺カロート１０の上面１１を周囲から覆うことができる大きさで形成されている。第１凹部２１の深さは、例えば、数ｃｍ程度で形成することができる。第１凹部２１は、石棺カロート１０の上面１１の部分だけを覆う凹状の溝で形成してもよい。
【００２１】
図３は、上記石棺カロート１０と芝台２０に加えて水鉢台４１を示す斜視図である。この図では、水鉢台４１を開放した状態を示している。図示するように、上記芝台２０には、上記第１凹部２１の一部を貫通して上記納骨部１３と連通する開口部２２が備えられている。開口部２２は、上記中台３０の前方に位置している。この開口部２２は、上方から骨壺を納骨部１３に収納できる大きさとなっている。
【００２２】
さらに、芝台２０には、上記開口部２２の周囲から上方に突出する凸部２３が備えられている。この凸部２３は、芝台２０の上面から、例えば、数ｃｍ程度突出させることができる。
【００２３】
芝台２０の開口部２２は、上方から水鉢台４１で塞がれる。水鉢台４１は、開口部２２の周囲に備えられた凸部２３を周囲から覆う第２凹部４２を有している。第２凹部４２は、水鉢台４１の裏面の中央部分を凹状に切除して形成されている。第２凹部４２は、芝台２０の凸部２３の部分だけを覆う凹状の溝で形成してもよい。水鉢台４１は、芝台２０の開口部２２を塞いで、芝台２０の上面に載置される。これにより、中台３０の前方に、上記水鉢４０を配置する水鉢台４１が配置される。
【００２４】
さらに、芝台２０の上面は、上記水鉢台４１を載置する部分と上記中台３０を載置する部分が平坦に形成され、この水鉢台４１と中台３０を載置する部分の周囲から外向きに下り傾斜の傾斜面２４に形成されている。
【００２５】
図４は、図３に示す芝台の上部に中台と上台と竿石とを積み重ねた状態の墓を示す斜視図である。図示するように、上記芝台２０の上部には中台３０と上台３１と竿石３２とが積み重ねられる。そして、芝台２０の開口部２２が水鉢台４１によって塞がれる。
【００２６】
図５は、図４に示す墓１の側面図であり、図６は、図５に示す石棺カロート１０と芝台２０と水鉢台４１との重なり部分の拡大断面図である。図示するように、上記石棺カロート１０の上部に芝台２０を配置し、その芝台２０の開口部２２を水鉢台４１で塞いでいる。これにより、石棺カロート１０の上面１１は、芝台２０の第１凹部２１に入り込んだ状態となり、芝台２０の下面を水Ｗが伝うようなことがあっても石棺カロート１０の上面１１を越えることはなく、水Ｗが納骨部１３に入ることはない。
【００２７】
また、石棺カロート１０の納骨部１３と連通する芝台２０の開口部２２は、周囲の凸部２３が水鉢台４１の第２凹部４２に入り込んだ状態となり、芝台２０の上面を水Ｗが伝うことがあっても凸部２３を越えることはなく、水Ｗが開口部２２から納骨部１３に入ることはない。
【００２８】
このように、上記墓１は、石棺カロート１０と芝台２０との間と、芝台２０と水鉢台４１との間に二重の凹凸構造を有する防水構造７０を備えている。このため、この防水構造７０を備えた墓１によれば、石棺カロート１０の上面を芝台２０で覆うことで、芝台２０の下面の第１凹部２１が石棺カロート１０の上面１１を周囲から覆うようになる。これにより、石棺カロート１０の上面１１が芝台２０の第１凹部２１に入り込んで塞いだ状態となり、石棺カロート１０の上面の周囲から水が浸入することを防ぐことが可能となる。また、地震時でも、石棺カロート１０の上面１１は周囲が芝台２０の第１凹部２１に嵌まった状態であるため、開口部１２は芝台２０と水鉢台４１とで塞がれた状態が保たれて水の浸入を防ぐことが可能となる。
【００２９】
しかも、芝台２０の納骨部１３と連通する開口部２２も、周囲から上方に突出する凸部２３が水鉢台４１の第２凹部４２によって周囲から覆われている。これにより、水鉢台４１の第２凹部４２に開口部２２の凸部２３が入り込んで塞いだ状態となる。よって、開口部２２から水が浸入することを防ぐことができる。従って、これらの防水構造７０によって、石棺カロート１０の納骨部１３へ水が浸入することを適切に防止することが可能となる。
【００３０】
さらに、上記したように、芝台２０の上面が下向きの傾斜面２４に形成されているので、水鉢台４１の周囲から流れ落ちる水と、中台３０の周囲から流れ落ちる水とを、積極的に芝台２０の外周部分へ流すことができる。これにより、芝台２０の上面に水が残らないようにでき、雨水などの排水性を良くすることができる。
【００３１】
その上、上記したように、石棺カロート１０と芝台２０とを一塊の石材を加工することで形成すれば、石棺カロート１０及び石棺カロート１０の上面を塞ぐ芝台２０に接続部が無いため、地震や経年使用による納骨部１３への水の浸入を長期間適切に防止できる。
【００３２】
なお、上記した実施形態では、石棺カロート１０及び芝台２０のいずれも一塊の石材を加工することで形成しているが、複数の石材を接着した構成にも適用でき、石棺カロート１０及び芝台２０は上記実施形態に限定されるものではない。
【００３３】
また、上記した実施形態は一例を示しており、墓１を構成する石材は、少なくとも芝台２０と中台３０と竿石３２とを積み重ねた構成であればよく、本発明の要旨を損なわない範囲での種々の構成を変更することは可能であり、本発明は上記した実施形態に限定されるものではない。
【符号の説明】
【００３４】
１  墓
１０  石棺カロート
１１  上面
１３  納骨部
２０  芝台
２１  第１凹部
２２  開口部
２３  凸部
２４  傾斜面
３０  中台
３１  上台
３２  竿石
４０  水鉢
４１  水鉢台
４２  第２凹部
７０  防水構造
Ｗ  水
【図１】
0006465491.tif 000002
【図２】
0006465491.tif 000003
【図３】
0006465491.tif 000004
【図４】
0006465491.tif 000005
【図５】
0006465491.tif 000006
【図６】
0006465491.tif 000007
【図７】
0006465491.tif 000008